(57)【要約】【課題】ＵＶ照射手段下方のプラテン上に搭載されたメディアが、高温に加熱されて、変形するのを防ぐことのできる手段を備えた、ＵＶ硬化型のインク使用のインクジェットプリンタを提供する。【解決手段】第１メディア冷却手段１２０を用いて、プラテン２０内側の長手方向に並ぶ幅方向に複数に仕切られた各プラテン内側空間２２の内外に亙ってそれぞれ循環させる冷却用の外気により、プラテン２０上に搭載されたメディア５０を、プラテン２０上端壁を介して冷却し続ける。その際には、メディア５０を、メディア吸着手段１１０により、プラテン２０表面に隙間なく密着させた状態に吸着させて、そのメディア５０を、プラテン２０上端壁を介して、第１メディア冷却手段１２０により効率よく的確に冷却し続ける。【選択図】図１
2005153431.tif 000002
【特許請求の範囲】
【請求項１】
プラテン上に搭載されたメディア表面にインクジェットヘッドから噴射させて着弾させたＵＶ硬化型のインク滴に、ＵＶ照射手段から紫外線を照射して、そのインク滴を硬化させてメディアに定着させるインクジェットプリンタにおいて、
前記プラテン上に搭載されたメディア裏面と、それに対向するプラテン表面との間に介在する空気を、プラテン表面に開口された空気吸入穴を通して、プラテン内側に吸引して、前記メディアを、それが搭載されたプラテン上に、メディア表面に加わる大気圧を利用して、吸着させるメディア吸着手段と、
前記プラテン内側の長手方向に並ぶ幅方向に複数に仕切られた各プラテン内側空間の内外に亙って冷却用の外気をそれぞれ循環させて、その複数の各プラテン内側空間をそれぞれ循環する外気により、前記プラテン上に搭載されたメディアを、プラテン上端壁を介して冷却する第１メディア冷却手段とが備えられたことを特徴とするＵＶ硬化型のインク使用のインクジェットプリンタ。
【請求項２】
プラテン上に搭載されたメディア表面にインクジェットヘッドから噴射させて着弾させたＵＶ硬化型のインク滴に、ＵＶ照射手段から紫外線を照射して、そのインク滴を硬化させてメディアに定着させるインクジェットプリンタにおいて、
前記プラテン上に搭載されたメディア裏面と、それに対向するプラテン表面との間に介在する空気を、プラテン表面に開口された空気吸入穴を通して、プラテン内側に吸引して、前記メディアを、それが搭載されたプラテン上に、メディア表面に加わる大気圧を利用して、吸着させるメディア吸着手段と、
前記プラテン内側空間の内外に亙って冷却用の液体を循環させて、そのプラテン内側空間を循環する冷却用の液体により、前記プラテン上に搭載されたメディアを、プラテン上端壁を介して冷却する第２メディア冷却手段とが備えられたことを特徴とするＵＶ硬化型のインク使用のインクジェットプリンタ。
【発明の詳細な説明】
【技術分野】
【０００１】
本発明は、プラテン上に搭載されたメディア表面にインクジェットヘッドから噴射させて着弾させたＵＶ（Ｕｌｔｒａｖｉｏｌｅｔ  ｒａｙｓの略）硬化型のインク滴（紫外線を照射すると、硬化するインク滴）に、ＵＶ照射手段から紫外線を照射して、そのインク滴を硬化させてメディアに定着させるタイプの、ＵＶ硬化型のインク使用のインクジェットプリンタに関する。
【背景技術】
【０００２】
図３に示したような、プラテン２０上に搭載されたメディア（記録媒体）５０の上方をプラテン２０表面とほぼ平行なＸ−Ｙ（縦横）方向に相対的に移動させるインクジェットヘッド３０下面に並ぶノズル（図示せず）から前記メディア５０表面に向けてＵＶ硬化型のインク滴を噴射させるインクジェットプリンタが、周知である。
【０００３】
このプリンタにおいては、そのインクジェットヘッド３０から噴射させてメディア５０表面に着弾させたインク滴に紫外線を照射して、そのＵＶ硬化型のインク滴を硬化させるためのＵＶ照射手段１００が、プラテン２０上方に配置されている。そして、そのＵＶ照射手段１００により、メディア５０表面に着弾させたＵＶ硬化型のインク滴に紫外線を照射して、そのインク滴を瞬時に硬化させ、そのＵＶインクをメディア５０に定着させている。そして、そのメディア５０表面に着弾したインク滴が、その着弾箇所周囲のメディア５０部分に広く浸透して、そのメディア５０表面に径の大きいぼやけたインクのドットが形成されるのを、防いでいる。
【０００４】
ＵＶ照射手段１００は、図３に示したように、紫外線を発生させるＵＶランプ１０２が、ボックス１０４内に収容された構造をしていて、そのボックス１０４下面に開口するガラス窓１０６を通して、ＵＶランプ１０２から発せされた紫外線が、ボックス１０４下方のプラテン２０上に搭載されたメディア５０表面に着弾したインク滴に照射される構造をしている。
ＵＶ照射手段１００は、インクジェットヘッド３０と一体になって、プラテン２０上方をプラテン２０表面とほぼ平行なＹ方向（横方向であって、図の表裏面方向）に移動したり、又は、インクジェットヘッド３０とは別体に独立して、プラテン２０上方をプラテン２０表面とほぼ平行なＹ方向（横方向であって、図の表裏面方向）に移動したりするように構成されている。
他方、プラテン２０上に搭載されたメディア５０は、プラテン２０上面を挟んで、その上方と下方とに対向させて配置されたピンチローラ９４と送りローラ９２との間に挟持されて、プラテン２０上を送りローラ９２の回転方向に当るＸ（縦）方向に移動するように構成されている。
そして、インクジェットヘッド３０やＵＶ照射手段１００を、両者一体に又は両者別々に、Ｙ方向に移動させたり、送りローラ９２を回転させて、メディア５０をプラテン２０上をＸ方向に移動させたりすることにより、インクジェットヘッド３０やＵＶ照射手段１００を、プラテン２０上に搭載されたメディア５０上方をＸ−Ｙ方向に相対的に移動させることができるように構成されている。
【０００５】
このＵＶ照射手段１００が備えられたインクジェットプリンタによれば、そのメディア５０表面にインクジェットヘッド３０から噴射させて着弾させたＵＶ硬化型のインク滴がその着弾箇所周囲のメディア５０部分に広く浸透するのを防いで、そのメディア５０表面に、小径の複数のインクのドットの配列からなる、滲みのないシャープで鮮明な絵図又は／及び文字をプリントできる。
また、このＵＶ照射手段１００が備えられたインクジェットプリンタによれば、プラスチックシート、金属板、ガラス板、紙、布等の様々のメディア５０表面に、絵図又は／及び文字を、それらのメディア５０表面にインク受理層を形成せずとも、ダイレクトにプリントできる。
【特許文献１】特開２００３−２００５６４号公報
【特許文献２】特開２００３−１２７３３８号公報
【発明の開示】
【発明が解決しようとする課題】
【０００６】
しかしながら、上記のＵＶ硬化型のインク使用のインクジェットプリンタにおいては、その絵図又は／及び文字をプリントするメディア５０に、ＰＥＴ樹脂フィルム、ポリカーボネイト樹脂フィルム、アクリル樹脂フィルム等の耐熱性のないメディアを用いた場合に、そのメディア５０が、ＵＶ照射手段１００から放射される輻射熱等により、高温に加熱されて、変形してしまった。
具体的には、ＵＶランプ１０２が収容されたボックス１０４下面のガラス窓１０６と、その直下のプラテン２０表面との間は、約１０ｍｍ前後の小間隔しかあいていない。その理由は、ボックス１０４下面のガラス窓１０６から放射された紫外線の多くが、その下方のプラテン２０上に搭載されたメディア５０表面に外部に漏れずに効率良く的確に照射されるようにするためである。他方、ボックス１０４下面のガラス窓１０６は、約４００℃前後の高熱を発しながら紫外線を放射中のＵＶランプ１０２により、約２００〜３００℃まで高温に加熱される。そのために、そのボックス１０４下面のガラス窓１０６下方に位置するプラテン２０上に搭載されたメディア５０が、ＵＶ照射手段１００により高温に加熱されて、変形してしまった。
その結果、そのメディア５０表面にプリントされる絵図又は／及び文字にも、ずれや歪み等が生じて、その絵図又は／及び文字がプリントされたメディア５０の品質が、大幅に低下してしまった。
【０００７】
本発明は、このような課題を解消可能な、そのＵＶ照射手段下方のプラテン上に搭載されたメディアが、ＵＶ照射手段により高温に加熱されて、変形するのを防ぐことのできる手段を備えた、ＵＶ硬化型のインク使用のインクジェットプリンタ（以下、インクジェットプリンタとうい）を提供することを目的としている。
【課題を解決するための手段】
【０００８】
上記目的を達成するために、本発明の第１のインクジェットプリンタは、
プラテン上に搭載されたメディア裏面と、それに対向するプラテン表面との間に介在する空気を、プラテン表面に開口された空気吸入穴を通して、プラテン内側に吸引して、メディアを、それが搭載されたプラテン上に、メディア表面に加わる大気圧を利用して、吸着させるメディア吸着手段と、
プラテン内側の長手方向に並ぶ幅方向に複数に仕切られた各プラテン内側空間の内外に亙って冷却用の外気をそれぞれ循環させて、その複数の各プラテン内側空間をそれぞれ循環する外気により、プラテン上に搭載されたメディアを、プラテン上端壁を介して冷却する第１メディア冷却手段とが備えられたことを特徴としている。
【０００９】
また、上記目的を達成するために、本発明の第２のインクジェットプリンタは、
プラテン上に搭載されたメディア裏面と、それに対向するプラテン表面との間に介在する空気を、プラテン表面に開口された空気吸入穴を通して、プラテン内側に吸引して、メディアを、それが搭載されたプラテン上に、メディア表面に加わる大気圧を利用して、吸着させるメディア吸着手段と、
プラテン内側空間の内外に亙って冷却用の液体を循環させて、そのプラテン内側空間を循環する冷却用の液体により、プラテン上に搭載されたメディアを、プラテン上端壁を介して冷却する第２メディア冷却手段とが備えられたことを特徴としている。
【００１０】
このような構成の第１、第２のインクジェットプリンタにおいては、メディア吸着手段を用いて、プラテン上に搭載されたメディア裏面と、それに対向するプラテン表面との間に介在する空気を、プラテン表面に開口された空気吸入穴を通して、プラテン内側に吸引し続けることができる。そして、メディアを、それが搭載されたプラテン上に、メディア表面に加わる大気圧を利用して、吸着させ続けることができる。
また、第１のインクジェットプリンタにおいては、第１メディア冷却手段を用いて、プラテン内側の長手方向に並ぶ幅方向に複数に仕切られた各プラテン内側空間の内外に亙ってそれぞれ循環させる冷却用の外気により、プラテン上に搭載されたメディアを、プラテン上端壁を介して冷却し続けることができる。
その際には、その幅方向に複数に仕切られた各プラテン内側空間が、比較的短尺に形成されているために、その複数の各プラテン内側空間をそれぞれ循環する冷却用の外気が、その各プラテン内側空間を循環中に、紫外線を放射中のＵＶ照射手段により間接的に暖められて、その温度が漸次高まり、その外気の冷却作用が低下するのを、防ぐことができる。その結果、その比較的短尺の複数の各プラテン内側空間を、冷たいままの状態でそれぞれ循環する外気により、プラテン上に搭載されたメディアを、低温に的確に冷却し続けることができる。
他方、第２のインクジェットプリンタにおいては、第２メディア冷却手段を用いて、プラテン内側空間の内外に亙って循環させる比熱の大きい冷却用の液体により、プラテン上に搭載されたメディアを、プラテン上端壁を介して確実に冷却し続けることができる。
その際には、その第１、第２メディア冷却手段により冷却し続けるメディアを、メディア吸着手段により、プラテン表面に隙間なく密着させた状態に吸着させ続けることができる。そして、そのプラテン上に搭載されたメディアを、プラテン上端壁を介して、第１、第２メディア冷却手段により効率よく的確に冷却し続けることができる。そして、ＵＶ照射手段の下方に位置するプラテン上に搭載されたメディアが、高温に加熱されて、変形するのを、確実に防ぐことができる。
【発明の効果】
【００１１】
本発明の第１、第２のインクジェットプリンタによれば、メディア吸着手段により、プラテン表面に隙間なく密着させた状態に吸着させたメディアを、第１、第２メディア冷却手段により、効率よく的確に冷却し続けることができる。そして、ＵＶ照射手段の下方に位置するプラテン上に搭載されたメディアが、ＵＶ照射手段から放射される輻射熱等により、高温に加熱されて、変形するのを、確実に防ぐことができる。
【発明を実施するための最良の形態】
【００１２】
以下に、本発明の実施の形態を図面に従い説明する。
図１は本発明の第１のインクジェットプリンタの好適な実施の形態を示し、図１はそのプラテン周辺の概略構造説明図である。以下に、この第１のインクジェットプリンタを説明する。
【００１３】
図の第１のインクジェットプリンタは、前述の図３に示したような、プラテン２０上方をＸ―Ｙ方向に相対的に移動させるインクジェットヘッド３０下面に並ぶノズルから噴射させて、プラテン２０上に搭載されたメディア５０表面に着弾させたＵＶ硬化型のインク滴に、同じくプラテン２０上方をＸ―Ｙ方向に相対的に移動させるＵＶ照射手段１００から紫外線を照射して、そのインク滴を硬化させてメディア５０に定着させる構造をしている。そして、そのメディア５０に定着させたインク滴により、そのメディア５０表面に複数のインクのドットの配列からなる絵図又は／及び文字をプリントする構造をしている。
【００１４】
以上の構成は、既述従来のインクジェットプリンタと同様であるが、図の第１のインクジェットプリンタにおいては、メディア５０を、それが搭載されたプラテン２０上に、メディア５０表面に加わる大気圧を利用して、吸着させるメディア吸着手段１１０が備えられている。メディア吸着手段１１０は、プラテン２０表面に並べて開口された多数の小径の空気吸入穴１１２と、該穴を通して、プラテン２０表面側の空気を、プラテン２０内側に吸引する空気吸引手段１１４とから構成されている。空気吸引手段１１４は、図３に示したように、プラテン２０下部に付設された吸気ファン１１５と、該ファン周囲と空気吸入穴１１２とを連通するプラテン２０内側に備えられた空気吸引路１１６とから構成されている。そして、吸気ファン１１５を回転させることにより、プラテン２０上に搭載されたメディア５０裏面と、それに対向するプラテン２０表面との間に介在する空気を、プラテン２０表面に並べて開口された複数の空気吸入穴１１２を通して、該穴に連通するプラテン２０内側に備えられた空気吸引路１１６に吸引できるように構成されている。空気吸引路１１６に吸引した空気は、その空気吸引路１１６下方の端部から、プラテン２０脇部の外気中に排出できるように構成されている。
【００１５】
また、プラテン２０内側の長手方向に並ぶ幅方向に複数に仕切られた各プラテン内側空間２２の内外に亙って冷却用の外気をそれぞれ循環させて、その複数の各プラテン内側空間２２をそれぞれ循環させる外気により、プラテン２０上に搭載されたメディア５０を、熱伝導率の良いアルミニウム製のプラテン２０上端壁を介して、冷却する第１メディア冷却手段１２０が備えられている。具体的には、図１に示したように、メディア５０が搭載されるプラテン２０部分が、Ｙ方向に長い偏平な筒状をしていて、その偏平な筒状をした横長のプラテン２０内側が、そのほぼ中央部から、仕切り壁（図示せず）により、その幅方向に左右２つの比較的短尺のプラテン内側空間２２にそれぞれ仕切られている。プラテン２０の右脇と左脇とには、吸引ファン１２２がそれぞれ備えられている。プラテン２０右脇の吸引ファン１２２周囲と右側のプラテン内側空間２２の外側端部とは、右ダクト１２４により連通されている。同様に、プラテン２０左脇の吸引ファン（図示せず）周囲と左側のプラテン内側空間２２の外側端部とは、左ダクト（図示せず）により連通されている。左右２つに仕切られた各プラテン内側空間２２の内側端部には、それらの各プラテン内側空間２２に外気を吸引するための外気吸入口１２６がそれぞれ開口されている。そして、そのプラテン２０の右脇と左脇とに備えられた吸引ファン１２２をそれぞれ回転させることにより、その左右２つの各プラテン内側空間２２の内側端部にそれぞれ開口された外気吸入口１２６を通して、その左右２つの各プラテン内側空間２２に冷却用の外気をそれぞれ吸入して、その外気を左右２つの各プラテン内側空間２２をそれぞれ循環させた後、その外気を左右２つの各プラテン内側空間２２の外側端部にそれぞれ連通する左ダクトと右ダクト１２４とを通して、外気中に排出し続けることができるように構成されている。そして、そのプラテン２０内側の長手方向に並べて設けられた左右２つの各プラテン内側空間２２の内外に亙って、冷却用の外気をそれぞれ循環させ続けることができるように構成されている。
その際には、その左右２つに仕切られた各プラテン内側空間２２が、比較的短尺に形成されていて、その左右２つの各プラテン内側空間２２をそれぞれ循環する冷却用の外気が、その各プラテン内側空間２２を循環中に、紫外線を放射中のＵＶ照射手段１００から発せられる輻射熱等により間接的に暖められて、その温度が漸次高まり、その外気の冷却作用が低下するのを、防ぐことができるように構成されている。そして、その比較的短尺の左右２つの各プラテン内側空間２２を、冷たいままの状態でそれぞれ循環する外気により、プラテン２０上に搭載されたメディア５０を、プラテン２０上端壁を介して低温に的確に冷却し続けることができるように構成されている。
【００１６】
メディア５０が搭載される偏平な筒状をした左右２つに仕切られた各プラテン２０内側の長手方向には、図１と図３に示したように、断面が山形状をした複数本のリブ２８が、その各リブ２８の上端と下端とをプラテン２０内側の天井面と底面とに連ねた状態で、その各プラテン２２内側の長手方向に向けて、その各プラテン２２内側の幅方向の全体に亙って並べて配置されている。そして、その複数本のリブ２８により、プラテン２０が前後方向や左右方向等に撓まぬように補強されている。また、その断面が山形状をした複数本の各リブ２８の頂部が連なるプラテン２０内側の天井面部分とその直上のプラテン２０表面部分とに亙っては、前記の多数の小径の空気吸入口１１２がプラテン２０上端壁を貫いて所定ピッチで並べて開口されている。そして、その空気吸入口１１２に連なるリブ２８で左右が囲まれたプラテン２０内側部分が、プラテン２０下部に付設された吸気ファン１１５周囲と空気吸入穴１１２とを連通する空気吸引路１１６を形成している。さらに、その断面が山形状をした複数本の隣り合う各リブ２８の間のプラテン２０内側部分が、冷却用の外気を循環させるプラテン内側空間２２を形成している。
【００１７】
図２は本発明の第２のインクジェットプリンタの好適な実施の形態を示し、図２はそのプラテン周辺の概略構造説明図である。以下に、この第２のインクジェットプリンタを説明する。
【００１８】
図の第２のインクジェットプリンタにおいては、プラテン内側空間２２の内外に亙って冷却用の水等の液体を循環させて、そのプラテン内側空間２２を循環する冷却用の液体により、プラテン２０上に搭載されたメディア５０を、プラテン２０上端壁を介して冷却する第２メディア冷却手段１３０が備えられている。具体的には、メディア５０が搭載されるＹ方向に長い偏平な筒状をしたプラテン内側空間２２の一方の端部と他方の端部とを連通する液体循環通路１３２が、プラテン２０外部に配設されている。液体循環通路１３２には、液体循環ポンプ１３４と、冷却用の液体を低温冷却するための冷却装置１３６とが備えられている。そして、その液体循環ポンプ１３４及び冷却装置１３６を用いて、プラテン内側空間２２とそれに連なる液体循環通路１３２とに亙って充填された冷却用の液体を、冷却装置１３６により低温に冷却し続けながら、プラテン内側空間２２の内外に亙って循環させ続けることができるように構成されている。そして、そのプラテン内側空間２２を循環する低温に冷却された液体により、プラテン２０上に搭載されたメディア５０を、アルミニウム製などの熱伝導性の良いプラテン２０上端壁を介して、冷却し続けることができるように構成されている。
冷却用の液体には、水以外の、熱吸収率の良い比熱の大きいオイル等の液体を用いることが、可能である。冷却装置１３６には、汎用のクーラ以外の、熱電冷却素子等を用いることが、可能である。
【００１９】
メディア５０が搭載される偏平な筒状をしたプラテン２０内側の長手方向には、図２と図３に示したように、断面が山形状をした複数本のリブ２８が、その各リブ２８の上端と下端とをプラテン２０内側の天井面と底面とに連ねた状態で、そのプラテン２２内側の長手方向に向けて、そのプラテン２２内側の幅方向の全体に亙って並べて配置されている。そして、その複数本のリブ２８により、長尺のプラテン２０が前後方向や左右方向等に撓まぬように補強されている。また、その断面が山形状をした複数本の各リブ２８の頂部が連なるプラテン２０内側の天井面部分とその直上のプラテン２０表面部分とに亙っては、前記の多数の小径の空気吸入口１１２がプラテン２０上端壁を貫いて所定ピッチで並べて配置されている。そして、その空気吸入口１１２に連なるリブ２８で左右が囲まれたプラテン２０内側部分が、プラテン２０下部に付設された吸気ファン１１５周囲と空気吸入穴１１２とを連通する空気吸引路１１６を形成している。さらに、その断面が山形状をした複数本の隣り合う各リブ２８の間のプラテン２０内側部分が、冷却用の液体を循環させるプラテン内側空間２２を形成している。
その他の部分は、前述の図１に示した第１のインクジェットプリンタと同様に構成されている。
【００２０】
図１に示した第１インクジェットプリンタ、図２に示した第２のインクジェットプリンタは、以上のように構成されていて、この第１、第２のインクジェットプリンタにおいては、メディア吸着手段１１０を用いて、プラテン２０上に搭載されたメディア５０裏面と、それに対向するプラテン２０表面との間に介在する空気を、プラテン２０表面に開口された空気吸入穴１１２を通して、プラテン２０内側に吸引し続けることができる。そして、メディア５０を、それが搭載されたプラテン２０上に、メディア５０表面に加わる大気圧を利用して、吸着させ続けることができる。
また、第１のインクジェットプリンタにおいては、第１メディア冷却手段１２０を用いて、プラテン２０内側の長手方向に並ぶ幅方向に複数（図では、左右２つとしている）に仕切られた各プラテン内側空間２２の内外に亙って冷却用の外気をそれぞれ循環させ続けることができる。そして、その複数の各プラテン内側空間２２をそれぞれ循環する外気により、プラテン２０上に搭載されたメディア５０を、プラテン２０上端壁を介して冷却し続けることができる。
その際には、その複数に仕切られた比較的短尺の各プラテン内側空間２２をそれぞれ循環する外気が、その各プラテン内側空間２２を循環中に、紫外線を放射中のＵＶ照射手段１００から発せられる輻射熱等により間接的に暖められて、その温度が漸次高まり、その外気の冷却作用が低下するのを、防ぐことができる。そして、その比較的短尺の複数の各プラテン内側空間２２を、冷たいままの状態でそれぞれ循環させる外気により、プラテン２０上に搭載されたメディア５０を、低温に的確に冷却し続けることができる。
他方、第２のインクジェットプリンタにおいては、第２メディア冷却手段１３０を用いて、プラテン内側空間２２の内外に亙って冷却用の液体を循環させ続けることができる。そして、そのプラテン内側空間２２を循環する冷却用の液体により、プラテン２０上に搭載されたメディア５０を、プラテン２０上端壁を介して冷却し続けることができる。
その際には、その第１メディア冷却手段１２０、又は第２メディア冷却手段１３０により冷却し続けるメディア５０を、メディア吸着手段１１０により、プラテン２０表面に隙間なく密着させた状態に吸着させ続けることができる。そして、そのプラテン２０上に搭載されたメディア５０を、プラテン２０上端壁を介して、第１メディア冷却手段１２０、又は第２メディア冷却手段１３０により効率よく的確に冷却し続けることができる。そして、そのＵＶ照射手段１００の下方に位置するプラテン２０上に搭載されたメディア５０が、ＵＶ照射手段１００から発せられる輻射熱等により高温に加熱されて、変形するのを、確実に防ぐことができる。
【産業上の利用可能性】
【００２１】
本発明の第１、第２のインクジェットプリンタは、プラテン上に搭載されたメディア表面にインクジェットヘッドから噴射させて着弾させたＵＶ硬化型のインク滴に、ＵＶ照射手段から紫外線を照射して、そのインク滴を硬化させてメディアに定着させるインクジェットプリンタに、広く利用可能である。
また、本発明の第１、第２のインクジェットプリンタは、フラットなベッドにメディアが搭載されて、そのベッド上に搭載されたメディア上方を、インクジェットヘッドをＸ−Ｙ方向に移動させる、いわゆるフラットベッドタイプのインクジェットプリンタにも、利用可能である。
【図面の簡単な説明】
【００２２】
【図１】本発明の第１のインクジェットプリンタのプラテン周辺の概略構造説明図である。
【図２】本発明の第２のインクジェットプリンタのプラテン周辺の概略構造説明図である。
【図３】ＵＶ硬化型のインク使用のインクジェットプリンタの概略構造説明図である。
【符号の説明】
【００２３】
２０  プラテン
２２  プラテン内側空間
２８  リブ
３０  インクジェットヘッド
５０  メディア
１００  照射手段
１０２  ＵＶランプ
１０４  ボックス
１０６  ガラス窓
１１０  メディア吸着手段
１１２  空気吸入穴
１１４  空気吸引手段
１１５  吸気ファン
１１６  空気吸引路
１２０  第１メディア冷却手段
１２２  吸引ファン
１２４  右ダクト
１２６  外気吸入口
１３０  第２メディア冷却手段
１３２  液体循環通路
１３４  液体循環ポンプ
１３６  冷却装置
【図１】
2005153431.tif 000003
【図２】
2005153431.tif 000004
【図３】
2005153431.tif 000005